(57)【要約】【課題】  作業者が原稿読み取り装置と記録装置の扉を開いた状態で行う作業の安全性及び効率性を考え、交換可能な構成部品の交換作業を慎重にかつ効率良く行なうことができる画像形成装置を提供する。【解決手段】  記録装置と係合し原稿読み取り装置を支持するアームを有し、前記原稿読み取り装置と扉が開いた状態で固定されたときに、回転支持部と反対側の前記原稿読み取り装置の端部と前記扉の両方が構成部品の前記回転支持部側の端部よりも前記回転支持部側になる位置に、前記原稿読み取り装置と前記扉の嵌合部が設けられている画像形成装置とする。【選択図】  図２
2011248383.tif 000002
【特許請求の範囲】
【請求項１】
内部に上方から交換可能な構成部品を有する記録装置と、前記記録装置上方の端部の回転支持部を介して回動可能に設けられた原稿読み取り装置を備えた画像形成装置において、
前記記録装置は、前記記録装置の上部であってかつ前記原稿読み取り装置の下方に設けられた扉を扉回転支持部で開閉可能とし、前記画像形成装置は、前記記録装置と係合し前記原稿読み取り装置を支持するアームを有し、前記原稿読み取り装置と前記扉が開いた状態で固定されたときに、前記回転支持部と反対側の前記原稿読み取り装置の端部と前記扉の両方が前記構成部品の前記回転支持部側の端部よりも前記回転支持部側になる位置に、前記原稿読み取り装置と前記扉の嵌合部が設けられていることを特徴とする画像形成装置。
【請求項２】
前記構成部品がトナー有する現像器であることを特徴とする請求項１記載の画像形成装置。
【請求項３】
前記扉は排紙トレーを兼ねていることを特徴とする請求項１記載の画像形成装置。
【発明の詳細な説明】
【技術分野】
【０００１】
本発明は、少なくとも複写機能を有する画像形成装置に関するものである。
【背景技術】
【０００２】
複写機能を有する画像形成装置として、コピー装置の他に、コピー機能とプリンタ機能
を併せ持ついわゆる複合装置などが知られている。従来の複写機能を有する画像形成装置
の例としては、電子写真方式などの記録装置の上方に、回動可能に設置された原稿読み取
り装置を備えた構成が知られている（例えば特許文献１）。
【０００３】
特許文献１では、記録済の用紙を排紙部から取り出す際に、作業性を向上させるために、上方に設けられた原稿読み取り装置を回動している。その他に、記録装置のメンテナンスとして、原稿読み取り装置を回動する例も考えられる。このような場合、作業の効率化と作業者の安全性を考え、原稿読み取り装置が自重で閉じないような構造とする必要がある。
【発明の開示】
【発明が解決しようとする課題】
【０００４】
原稿読み取り装置を回動する機能を持つ画像形成装置において、作業者が原稿読み取り
装置と記録装置の扉を開いた状態で行う作業の安全性及び効率性を考え、交換可能な構成部品の交換作業を慎重にかつ効率良く行なうことができる画像形成装置を提供する。
【課題を解決するための手段】
【０００５】
記録装置と係合し原稿読み取り装置を支持するアームを有し、前記原稿読み取り装置と扉が開いた状態で固定されたときに、回転支持部と反対側の前記原稿読み取り装置の端部と前記扉の両方が構成部品の前記回転支持部側の端部よりも前記回転支持部側になる位置に、前記原稿読み取り装置と前記扉の嵌合部が設けられている画像形成装置とする。
【発明の効果】
【０００６】
本発明によれば、原稿読み取り装置を開いての作業中に、原稿読み取り装置と扉が自重で閉じることなく、交換可能な構成部品の交換作業を慎重にかつ効率良く行なうことができる画像形成装置を提供することができる。
【図面の簡単な説明】
【０００７】
【図１】本発明の一実施例である画像形成装置の模式図である。
【図２】原稿読み取り装置を開けた状態の画像形成装置の模式図である。
【発明を実施するための最良の形態】
【０００８】
以下、本発明の実施例を図１及び２を用いて説明する。
【０００９】
図１は、本発明の実施例である複写機能を有する画像形成装置の模式図である。本実施例の画像形成装置は、大別して自動原稿給紙装置３と、自動原稿給紙装置３の下部に複写機能を有する原稿読み取り装置２と、原稿読み取り装置２の下部に記録装置１を有した構成である。
【００１０】
自動原稿給紙装置３は、原稿読み取り装置２に複写すべき原稿用紙を給紙する。原稿読み取り装置２に送られた読み取り済の原稿用紙は、再び自動原稿給紙装置の別部である排紙部に排紙されても良い。記録装置１は、帯電、露光、現像、転写、定着を行なって用紙１４に画像を形成する電子写真方式である。
【００１１】
記録装置１は、原稿読み取り装置２で読み取った原稿を複写することもできるし、上位装置（図示せず）から送られてくる印刷データを印刷することもできる。記録装置１の内部には、帯電器４、光学装置５、現像器６、７、８、９、感光体ベルト１０、中間転写ベルト１１、定着器１２、及び、中間転写ベルト１１上の残留トナーを除去するベルトクリーナー１３を有している。現像器６、７、８、９は、それぞれイエロー、マゼンタ、シアン、ブラックなどの色のトナーを有しており、これらの色を重ね合わせることにより、用紙１４にフルカラー画像を形成している。原稿読み取り装置２の画像信号もしくは、上位装置（図示せず）からの電子データによって画像が形成された用紙１４は、矢印Ｄの方向に排出され、原稿読み取り装置２と記録装置１との間に積載される構造となっている。
【００１２】
記録装置１の上方には、感光体ベルト１０の保護と排紙トレーを兼ねたセンターカバー１５が設けられている。センターカバー１５が、記録装置１の本体に対して回転可能となるように、回転支持部１６が設けられている。更に、原稿読み取り装置２を回転支持する回転支持部１７と、矢印Ａの方向に開閉する原稿読み取り装置２と連動して回動し原稿読み取り装置２を支持するアーム１８と、アーム１８を回転支持する回転支持部１９を有している。また、センターカバー１５の先端には凸形状の嵌合部２３が設けてあり、原稿読み取り装置２の下方に設けた凸形状の嵌合部２２に嵌合する形状となっている。凸形状の嵌合部２２、２３の詳細については、図２を用いて後述する。
原稿読み取り装置２の上方には矢印Ｂの方向に回転する自動原稿給紙装置３の回転支持部
２０が設けられ、原稿読み取り装置２の下方にはアーム１８の先端を案内するためのスライダー２１を設けている。
【００１３】
次に、原稿読み取り装置２及び、センターカバー１５が開いた状態について、図２を用いて説明する。
【００１４】
感光体ベルト１０は、記録装置１の上部より矢印Ｅの方向へ着脱可能となっている。本実施例においては、感光体ベルト１０に対して帯電器４が一緒に取り出せるカートリッジ方式である。感光体ベルト１０は消耗品であるので、使用頻度によって交換する必要が生じる。本構成は、感光体ベルト１０を交換する際に、原稿読み取り装置２とセンターカバー１５を記録装置１に対して開く構成である。記録装置１の上方が大きく開くことで、ベルトクリーナー１３の着脱を行なうことができる。
【００１５】
原稿読み取り装置２の下方に設けられた凸形状の嵌合部２２は、センターカバー１５に設けられた凸形状の嵌合部２３と嵌合し、互いに回転動作を抑制するため、ともに開いた状態で固定される。メンテナンス時の作業は、排紙の取出しなどと異なり、両手を使うことが多く、片手で原稿読み取り装置２を支えながら行なうことは、作業効率の低下にもなる。従って、確実に原稿読み取り装置２やセンターカバー１５を固定することは、作業効率の向上につながり、また感光体ベルト１０を取り出している途中で、倒れてきた原稿読み取り装置２やセンターカバー１５に、指や手が挟まれるという障害を防ぐことができる。
更に、感光体ベルト１０の表面の傷や破損は、印刷品質に重大な影響を及ぼすので、交換作業は慎重にかつ効率良く行なう必要がある。
【００１６】
本実施例では、広い空間で感光体ベルト１０の交換作業を行うために、感光体ベルト１０の落下、感光体ベルト１０に原稿読み取り装置２やセンターカバー１５が接触して感光体ベルト１０の表面の傷付きや破損を防ぐこともできる。このように、広い空間で、安全に、かつ効率良く感光体ベルト１０や、ベルトクリーナー１３の交換作業を行うことができる。しかも原稿読み取り装置２の固定機能を、センターカバー１５に持たせたことによって、新たな固定手段を設けることなく原稿読み取り装置２とセンターカバーにそれぞれ凸形状の嵌合部を設けただけで、原稿読み取り装置２の固定とセンターカバー１５の固定を同時に、しかも確実に行なうことができる。
【００１７】
また、原稿読み取り装置２及び、センターカバー１５の嵌合部は、感光体ベルト１０を真上に取出す際に、感光体ベルト１０が原稿読み取り装置２やセンターカバー１５に接触しないように十分な開き角度で固定される位置に設定されている。具体的には、図２に示すように、回転支持部１７側に向いた感光体ベルト１０の端部（記録装置搭載時の端部）に沿った延長線Ｆよりも、原稿読み取り装置２の端部が回転支持部１７側にあるような角度で固定されれば、交換時に感光体ベルト１０をそのまま真上に引き出せば良いので、原稿読み取り装置端部への接触などの心配も要せずに、広い空間で交換作業が容易となる。
なお、本実施例では、嵌合部を凸形状にした例を示したが、原稿読み取り装置と、感光体
のカバーの開き角度や、回転軸の位置により、フラット形状や、凹凸形状にした場合でも
同じ作用がある。
【００１８】
交換は、感光体ベルトとしたが感光体ドラムであっても良い。また、感光体が中間転写体、定着器、または現像器の一つあるいは複数であっても良い。また、原稿読み取り装置と開閉するカバーを上部に有する記録装置であれば、メンテナンス作業が用紙ジャムの取出しであっても良い。
【００１９】
また、記録装置については、電子写真方式の記録装置について説明したが、例えばインクジェット方式であってもメンテナンス用のカバーを上方に設けた記録装置であれば、同様の効果が期待できる。
【符号の説明】
【００２０】
１…記録装置、２…原稿読み取り装置、３…自動原稿給紙装置、４…帯電器、５…光学装置、６、７、８、９…現像器、１０…感光体ベルト、１１…中間転写ベルト、１２…定着器、１３…ベルトクリーナー、１４…用紙、１５…センターカバー、１６、１７、１９、２０…回転支持部、１８…アーム、２１…スライダー、２２、２３…凸形状の嵌合部。
【先行技術文献】
【特許文献】
【００２１】
【特許文献１】特許第３４３３７４０号
【図１】
2011248383.tif 000003
【図２】
2011248383.tif 000004